(57)【要約】      （修正有）【課題】使用者の体内に花粉や風邪ウイルスなど、人間が所定の症状を患う原因となる物質をマスク内部に存在させないようにし、使用者の顔面にもフィットしやすい使い捨てマスクを提供すること。【解決手段】上下方向及び左右方向に所定の大きさを有するマスク本体２と、マスク本体２に取り付けられて使用時に使用者の耳に掛ける耳掛け部３とを備え、マスク本体２は、少なくとも表面層及び裏面層を有する複数の層を重ね合わせて形成されるとともに、これら重ね合わされた層が溶着によって接合されている溶着部を左右方向側縁部に有しており、溶着部は、所定間隔をおいて形成された複数の点状シールからなる点状シール群が少なくとも２つ形成され、これら点状シール群と点状シール群との間には、複数の層が接合されない非接合領域１９が形成されている。【選択図】図１
2019039099.tif 000002
【特許請求の範囲】
【請求項１】
上下方向及び左右方向に所定の大きさを有するマスク本体と、前記マスク本体に取り付けられて使用時に使用者の耳に掛ける耳掛け部とを備えたマスクであって、
前記マスク本体は、少なくとも表面層及び裏面層を有する複数の層を重ね合わせて形成されるとともに、これら重ね合わされた層が溶着によって接合されている溶着部を左右方向側縁部に有しており、
前記溶着部は、所定間隔をおいて形成された複数の点状シールからなる点状シール群が少なくとも２つ形成され、
これら点状シール群と点状シール群との間には、前記複数の層が接合されない非接合領域が形成されていることを特徴とする使い捨てマスク。
【請求項２】
非接合領域がマスク本体の上下方向中央部に形成されている請求項１記載の使い捨てマスク。
【請求項３】
点状シール群と非接合領域とが所定間隔をもって連続して交互に形成されている請求項１又は２記載の使い捨てマスク。
【請求項４】
点状シール群がマスク本体の上下方向上端部又は下端部から上下方向中央部に向けて、前記マスク本体の左右方向側縁部に近づくように形成されている請求項１から３のいずれかに記載の使い捨てマスク。
【発明の詳細な説明】
【技術分野】
【０００１】
本発明は、使い捨てマスクに関する。
【背景技術】
【０００２】
従来より、花粉症対策や風邪の予防、埃等から身を守る対策の一つとしてマスクが用いられている。近年は、特に花粉症を患う人が急激に増えたり、ＰＭ２．５やインフルエンザの対策などの理由により、体調が優れないときだけでなく、日常的にマスクを使用する人の数も増えている。そのため、近年は使い捨てマスクの需要が高まり、市場には種々の形状の使い捨てマスクが販売されている。
【０００３】
一般的に、マスクは、使用時に使用者の鼻腔や口を覆うマスク本体と、両端がマスク本体に取り付けられて輪状に形成され、使用時には使用者の耳に掛ける耳掛け部とから構成されている。従来のマスクは、マスク本体にガーゼなどを用いているものが多く販売されていることが多かった。このような、マスク本体にガーゼなどを用いているマスクは一度きりの使い捨てというのではなく、一度使用したら洗濯をして繰り返し使用するというように、何度も使用することが多かった。しかしながら、このような従来のマスクは、何度も洗濯をしながら繰り返し使用するため、洗濯の頻度や使用回数、使われ方によって汚れが目立ったり、次第に衛生的ではなくなっていく傾向があり、常に使用し始めた当初と同じ清潔な状態を完全に維持できるとはいい難かった。
【０００４】
そのため、近年はマスク本体に不織布を用いた使い捨てマスクが広く用いられることが多くなっている。この使い捨てマスクは、使用後に洗濯をして何度も繰り返し使用することはなく、使用者が使用した後は廃棄し、次に使用する時はまた別の新品の使い捨てマスクを使用するというように、その都度、新品のマスクを使用者が使用できるというようにしたものである。これによって、従来のガーゼタイプのマスクで懸念されていた清潔な状態を維持することなどの問題は解消することができた。
【０００５】
マスク本体に不織布を用いた使い捨てマスクは、使用者の顔の形状に応じて任意に形状を変化できるように形成されている。そのため、使い捨てマスクは、使用者に対して任意な形状に変化させることで、使用者の顔面にフィットできるように形成されているものが多く知られている（例えば、特許文献１）。
【先行技術文献】
【特許文献】
【０００６】
【特許文献１】特許第５６６２０７６号公報
【発明の概要】
【発明が解決しようとする課題】
【０００７】
しかしながら、特許文献１に記載されているマスクは、ある程度は使用者の顔面にフィットさせるために形状を変化できるよう形成されているものの、使用時にマスク本体の左右方向側縁部においてたわみが生じ、マスク本体が使用者の顔面の表面よりも外に凸の状態になって、顔面から浮き上がることがあった。
【０００８】
使用者はマスク本体で鼻腔及び口を覆われた状態で呼吸をしているため、このようにマスク本体が使用者の顔面の表面から浮き上がると、この浮き上がり部分からマスク本体の外部の空気がマスク本体の内部に吸い込まれることがある。しかし、上記した通り、外部の空気には花粉やウイルスなど、呼吸時に体内に取り込まないようにするものが多数存在している。そのため、マスクに浮き上がり部分が生じてしまうと、この浮き上がり部分からマスク本体よりも外部の空気が吸い込まれるのと同時に、体内に取り込まないようにするべきものである花粉やウイルスがマスクの内側に入り込むおそれがあった。マスクの内側に入り込んだ花粉やウイルスは、使用者が呼吸をすると、空気と一緒に体内に吸入されやすいため、従来と同じように花粉症を患ったり、風邪やインフルエンザというような病気にもなったりするおそれがあった。
このようなことから、従来の使い捨てマスクでは解消することのできない、使用者の顔面によりフィットする使い捨てマスクが市場に出回ることが望まれていた。
【０００９】
本発明の目的とするところは、使用者の顔面にフィットしやすく、かつ使用者の体内に花粉や風邪ウイルスなど、人間が所定の症状を患う原因となる物質をマスク本体の内部に侵入させないようにする使い捨てマスクを提供することを目的とする。
【課題を解決するための手段】
【００１０】
本発明は、
（１）上下方向及び左右方向に所定の大きさを有するマスク本体と、前記マスク本体に取り付けられて使用時に使用者の耳に掛ける耳掛け部とを備えたマスクであって、前記マスク本体は、少なくとも表面層及び裏面層を有する複数の層を重ね合わせて形成されるとともに、これら重ね合わされた層が溶着によって接合されている溶着部を左右方向側縁部に有しており、前記溶着部は、所定間隔をおいて形成された複数の点状シールからなる点状シール群が少なくとも２つ形成され、これら点状シール群と点状シール群との間には、前記複数の層が接合されない非接合領域が形成されていることを特徴とする使い捨てマスク、
（２）非接合領域がマスク本体の上下方向中央部に形成されている上記（１）記載の使い捨てマスク、
（３）点状シール群と非接合領域とが所定間隔をもって連続して交互に形成されている上記（１）又は（２）記載の使い捨てマスク、
（４）点状シール群がマスク本体の上下方向上端部又は下端部から上下方向中央部に向けて、前記マスク本体の左右方向側縁部に近づくように形成されている上記（１）から（３）のいずれかに記載の使い捨てマスクを要旨とする。
【発明の効果】
【００１１】
本発明によれば、上下方向及び左右方向に所定の大きさを有するマスク本体と、前記マスク本体に取り付けられて使用時に使用者の耳に掛ける耳掛け部とを備え、前記マスク本体は、少なくとも表面層及び裏面層を有する複数の層を重ね合わせて形成されるとともに、これら重ね合わされた層が溶着によって接合されている溶着部を左右方向側縁部に有しており、前記溶着部は、所定間隔をおいて形成された複数の点状シールからなる点状シール群が少なくとも２つ形成され、これら点状シール群と点状シール群との間には、前記複数の層が接合されない非接合領域が形成されているので、マスク本体の左右両側部分を使用者の顔面にもフィットしやすく顔面に密着させることができる。したがって、本発明によれば、使用者が使い捨てマスクを着用している時に呼吸をしても、マスク本体の左右両側部分等から外部の空気が吸い込まれることがなく、花粉やウイルスを吸い込んで体内に取り込み、それによって花粉症を患ったり、風邪やインフルエンザというような病気になるといったことを防止することができる。
【図面の簡単な説明】
【００１２】
【図１】本発明の実施の形態に係る使い捨てマスクの正面図である。
【図２】マスク本体の断面図である。
【図３】マスク本体の一部拡大正面図である。
【図４】マスク本体の作用効果を説明するための説明図である。
【図５】本発明の実施の形態に係る使い捨てマスクの第１の変形例を表す使い捨てマスクの正面図である。
【図６】本発明の実施の形態に係る使い捨てマスクの第２の変形例を表す使い捨てマスクの部分拡大図である。
【発明を実施するための形態】
【００１３】
本発明に係る使い捨てマスクの実施の形態について詳細に説明する。図１は、本発明に係る使い捨てマスクの実施の形態を表す正面図、図２はマスク本体の断面図、図３は、使い捨てマスクの一部拡大正面図である。なお、本明細書において上下左右という場合は、使用者が使い捨てマスクを着用した時における該使い捨てマスクの上下左右方向を指すものとして説明する。
【００１４】
図１に示すように、使い捨てマスク１は、使用者の顔面の対象部位を覆うように形成されており、上下方向及び左右方向に所定の大きさを有するマスク本体２と、使い捨てマスク１を使用者が着用した時に、このマスク本体２が使用者の顔面の対象部位を覆う状態で維持するための耳掛け部３とを有している。耳掛け部３は、マスク本体２に取り付けられており、使用時に使用者の耳に掛けるようになっている。耳掛け部３は、マスク本体２の左側端部に形成されているものと右側端部に形成されているものが一対となるように形成され、使用者の耳に係止することができるようになっている。
【００１５】
図１に示すように、マスク本体２には、該マスク本体２が上下方向に広がることができるようにするためのプリーツ４が形成されている。本実施の形態では、プリーツ４は上下方向の４ヶ所に形成されており、それぞれのプリーツ４が互いに平行になるように、並列に形成されている。マスク本体２は、これらプリーツ４が形成されていることによって、使用者が使い捨てマスク１を着用する時にはマスク本体２を上下方向に伸ばして広げることができたり、使用者が使い捨てマスク１を顔面から取り外した時にはマスク本体２を上下方向に縮めて小さくすることができるようになっている。マスク本体２は、プリーツ４を上下方向に広げると、使用者が着用した時に使用者の鼻、口及び顎を含む使用者の顔面の対象部位を全体的に覆うことができる大きさとなるように形成されている。
【００１６】
なお、このプリーツ４を形成するための方法としては、マスク本体２を折りたたむことによる方法が採用されることが多く、折りたたみ方も複数種類存在するが、本実施の形態におけるマスク本体２では、プリーツ４の形成方法は従来から知られているものを任意に選択して形成してよい。
【００１７】
次に、マスク本体２の層構成について説明する。本発明におけるマスク本体２は、少なくとも表面層５及び裏面層７を有する複数の層を重ね合わせて形成されている。すなわち、図２に示すように、マスク本体２は、表面層５、中間層６及び裏面層７の３層構成となっている。なお、本実施の形態では、マスク本体２が表面層５、中間層６及び裏面層７からなる３層構成である例を用いて説明するが、マスク本体２は３層以外の層構成であってもよい。そして、マスク本体２は、これら表面層５、中間層６及び裏面層７が重ね合わされており、これら重ね合わされた表面層５、中間層６及び裏面層７が溶着によって接合されている。
【００１８】
表面層５は、使用者がマスク本体２を着用した時に、使用者とは反対側に位置する層、言い換えれば、上記した３つの層のうちで使用者から最も離れた層である。この表面層５は、マスク本体２に厚みや強度を付与するとともに、着用する時などのように使用者の肌に接するようなときに、肌触りを良くするために設けられている層である。この表面層５は、例えば、エアスルー不織布、スパンボンド不織布、スパンレース不織布等によって形成されている。
【００１９】
中間層６は、表面層５と裏面層７との間に位置する層であり、表面層５と裏面層７との間において挟まれるようにして重ね合わせられている。この中間層６はフィルター機能を有しており、例えばメルトブロー不織布によって形成されている。なお、中間層６には、香料や、抗菌・抗ウイルス効果を有する薬剤等を塗布してもよい。このように香料を設けたり、抗菌・抗ウイルス効果を有する薬剤を塗布することによって、使用者がマスク本体２を着用している時に、より快適性を向上させることができたり、使用時に鼻や口を覆うことによる閉塞感を感じて不快感を覚えるようなことを大幅に軽減することができる。
【００２０】
中間層６に使用することのできる香料としては、例えば、メントール、カルボン、シネオール、リモネン、ピネン、カンファ―、リナロール、ターピネオール、ペパーミント、スペアミント、ローズマリー、ラベンダー、ティートゥリー、カモミル、ユーカリ、オレンジ、レモン、ネロリ、ベルガモット、プチグレン等が挙げられる。また、抗菌・抗ウイルス効果を有する薬剤としては、例えば、ローズバッツ等が挙げられる。
【００２１】
上記した香料や抗菌・抗ウイルス効果を有する薬剤の塗布量や中間層６に対して塗布する範囲は特に限定されることはないものの、マスク本体２の上下方向中央部よりも下方に位置する所定の範囲内に塗布することが好ましい。仮に、マスク本体２の上下方向中央部よりも上方に位置する範囲内に塗布すると、マスク本体２を使用者が着用した時に目に沁みたり、目が刺激を受けて涙が出るなどの不都合が生じるおそれもあるからである。
【００２２】
裏面層７は、使用者がマスク本体２を着用した時に、上記した３つの層の中で最も使用者に近い位置に位置する層である。この裏面層７は、マスク本体２に厚みや強度を付与するとともに、使用者の肌に直接接したときに肌触りをよくするために設けられている層である。この裏面層７は、例えばエアスルー不織布、スパンボンド不織布、スパンレース不織布等によって形成されている。
【００２３】
マスク本体２の上下方向両側、即ちマスク本体２の上端部２ａと下端部２ｂには、表面層５、中間層６及び裏面層７が熱溶着等によって接合された溶着部が形成されている。これら溶着部は、マスク本体２の上端部２ａには上側溶着部８として形成されており、マスク本体２の下端部２ｂには下側溶着部９として形成されている。これら上側溶着部８及び下側溶着部９は、熱溶着部分が上下方向に平行に並ぶように、点線状に形成されている。すなわち、これら上側溶着部８及び下側溶着部９は、熱溶着部分が上下方向に二重となるように形成されている。
【００２４】
上側溶着部８は、二重となるように形成された該上側溶着部８の関係において上側に形成されている第１上側溶着部１０と、第１上側溶着部１０よりも下方に位置する第２上側溶着部１１とからなっており、これら第１上側溶着部１０及び第２上側溶着部１１の間には、鼻元バー１２が内包されている。
【００２５】
この鼻元バー１２は、可撓性を有する材料で形成されており、使用者がマスク本体２を着用するときに、使用者の鼻元の形状に沿うように変形させることができるようになっている。鼻元バー１２は、このように構成することにより、マスク本体２の上側部分と鼻との間に形成されがちな隙間が発生しないようにすることができるようになっている。この鼻元バー１２は、使用者の鼻元の形に添うように自在に変形することのできる材料で形成されており、例えば使用者がマスクを一旦外して再度その使い捨てマスク１を着用した時にも、容易に鼻元バー１２の形状を使用者の鼻元と合わせることのできるような可撓性を有する材料で形成されている。
【００２６】
なお、本実施の形態に係る使い捨てマスク１では特に設けていないものの、鼻元バー１２の周囲に、第１上側溶着部１０及び第２上側溶着部１１とは別に熱溶着等による溶着部を形成してもよい。この溶着部を設けることによって、鼻元バー１２が左右方向へ移動することを確実に防止することができ、使用者が着用した時に、鼻元における使用者の鼻とマスク本体２との間に隙間が発生するのをより確実に防止することができる。
【００２７】
下側溶着部９は、二重となるように形成された該下側溶着部９の関係において上側に形成されている第１下側溶着部２４と、第１下側溶着部２４よりも下方に位置する第２下側溶着部２５とからなっている。
【００２８】
また、マスク本体２の左右方向側縁部である左右方向両側には、表面層５、中間層６及び裏面層７を熱溶着等の方法により接合した溶着部が形成されている。これら溶着部も、マスク本体２の左端部２ｃには左側溶着部１３として形成されており、マスク本体２の右端部２ｄには右側溶着部１４として形成されている。
【００２９】
これら左側溶着部１３及び右側溶着部１４は、それぞれ複数（本実施の形態では２つ）の溶着部が左右方向に平行に並ぶように形成されている。即ち、左側溶着部１３及び右側溶着部１４は、２本の溶着線がそれぞれ左右方向に平行に並ぶように形成されている。これら左側溶着部１３及び右側溶着部１４は、マスク本体２の左右両端側における該マスク本体２に形成されているプリーツ４の広がりを抑えるためのものである。これら左側溶着部１３及び右側溶着部１４が形成されていることにより、マスク本体２の左右両端側ではマスク本体２が上下方向へ広がりやプリーツ４の伸縮がなく、マスク本体２の左右方向中央部においてはマスク本体２が上下方向へ広がったりプリーツ４が伸縮できるようになっている。
【００３０】
また、これら左側溶着部１３及び右側溶着部１４は、所定間隔において形成された複数の点状シールからなる点状シール群として形成されている。そして、この点状シール群は、少なくとも２つ形成されている。すなわち、左側溶着部１３は、マスク本体２の上端部２ａから上下方向中央部へ向かって形成されている第１点状シール群１５と、マスク本体２の下端側から上下方向中央部へ向かって形成されている第２点状シール群１６とからなる２つの点状シール群から構成されている。同様に、右側溶着部１４は、マスク本体２の上端部２ａから上下方向中央部へ向かって形成されている第３点状シール群１７と、マスク本体２の下端側から上下方向中央部へ向かって形成されている第４点状シール群１８とからなる２つの点状シール群から構成されている。なお、これら第１点状シール群１５、第２点状シール群１６、第３点状シール群１７及び第４点状シール群１８は、それぞれ直線状に形成されていてもよいし、曲線状に形成されていてもよい。
【００３１】
また、第１点状シール群１５、第２点状シール群１６、第３点状シール群１７及び第４点状シール群１８は、マスク本体２の上下方向に対して所定の角度を有するように形成されている。すなわち、第１点状シール群１５及び第３点状シール群１７は、マスク本体２の上端部２ａから上下方向中央部に向かって行くにつれて左右方向外側に近づくように形成されている。また、第２点状シール群１６及び第４点状シール群１８は、マスク本体２の下端部２ｂから上下方向中央部に向かって行くにつれて左右方向外側に近づくように形成されている。なお、これら第１点状シール群１５、第２点状シール群１６、第３点状シール群１７及び第４点状シール群１８は、それぞれ直線状に形成されてもよいし、曲線状に形成されていてもよい。
【００３２】
これら第１点状シール群１５と第２点状シール群１６との間、及び第３点状シール群１７と第４点状シール群１８との間には、表面層５、中間層６及び裏面層７といった複数の層が接合されていない非接合領域１９が形成されている。
【００３３】
非接合領域１９は、マスク本体２の左右方向両端部であって、かつ上下方向中央部に形成されている。この非接合領域１９は、マスク本体２を上下方向に広げて伸ばした時、言い換えると使用者が使い捨てマスク１を着用する時のようにマスク本体２のプリーツ４を伸ばした時、そのマスク本体２やプリーツ４の伸びによってマスク本体２の左右両端部に生じる歪みや位置ずれ、マスク本体２の外方向への張り出し等を吸収して、使用者の着用時にマスク本体２が使用者の鼻、口及び顎を含む使用者の顔面の対象部位から浮き上がることなく、該顔面の対象部位に確実にフィットした状態で顔面を全体的に覆うことができるように形成されている。
【００３４】
なお、以下では、第１点状シール群１５と第２点状シール群１６との間に形成されている非接合領域１９の事を第１非接合領域２０と言い、第３点状シール群１７と第４点状シール群１８との間に形成されている非接合領域１９の事を第２非接合領域２１と言うことがある。
【００３５】
図１に示すように、第１非接合領域２０及び第２非接合領域２１は、マスク本体２の上下方向中央部に形成されていることが好ましい。これら第１非接合領域２０及び第２非接合領域２１がマスク本体２の上下方向中央部に形成されていることによって、マスク本体２やプリーツ４を伸ばした時に、マスク本体２の上側から生じる皺や撓みの量と、マスク本体２の下側から生じる皺や撓みの量とを均一にすることができるようになっている。そのため、マスク本体２やプリーツ４を伸ばした時に第１非接合領域２０及び第２非接合領域２１において皺や撓みが発生した時に、マスク本体２の位置ズレが生じたり、顔面からの浮き上がりの発生をより効果的に抑えることができるようになっている。したがって、使用者がマスク本体２を装着する際、マスク本体２の左右両端側において生じる皺や撓みをより効果的に吸収することができる遊びを形成し易くすることができる。
【００３６】
耳掛け部３は、マスク本体２の左右両端部に接合されている。この耳掛け部３は、マスク本体２の左端部２ｃ側に接合されている左側耳掛け部２２と、マスク本体２の右端部２ｄ側に接合されている右側耳掛け部２３とを備えている。これら左側耳掛け部２２と右側耳掛け部２３とは一対で形成されている。
【００３７】
これら左側耳掛け部２２及び右側耳掛け部２３は、それぞれの端部２２ａ、２２ｂ、２３ａ、２３ｂがマスク本体２の表面側、言い換えるとマスク本体２を構成する表面層５に対して熱溶着等によって接合されて取り付けられている。また、左側耳掛け部２２及び右側耳掛け部２３は、マスク本体２に対して接合する高さ方向の位置が異なるように形成されている。すなわち、左側耳掛け部２２の上側端部２２ａは、上端縁が第１上側溶着部１０に近接するとともに第１下側溶着部１１と重なる位置に接合されており、該左側耳掛け部２２の下側端部２２ｂは、下端縁が第２下側溶着部２５と近接するとともに第１下側溶着部２４と重なる位置に接合されている。また、右側耳掛け部２３の上側端部２３ａは、上端縁が第１上側溶着部１０及び第１下側溶着部１１のいずれにも重なる位置に接合されており、該右側耳掛け部２３の下側端部２３ｂは、下端縁が第２下側溶着部２５と所定間隔あいた位置で、かつ第１下側溶着部２４と重なる位置に接合されている。つまり、左側耳掛け部２２と右側耳掛け部２３とでは、全体的に、左側耳掛け部２２が右側耳掛け部２３よりも下側に、逆に言えば右側耳掛け部２３が左側耳掛け部２２よりも上側に位置させて接合されている。
【００３８】
このように、左側耳掛け部２２及び右側耳掛け部２３の接合位置を上下方向にずらすことによって、使い捨てマスク１を使用者が顔面に着用したときに、特にマスク本体２の上部に位置する鼻元バー１２が顔面と密着しやすくなり、顔面とマスク本体２との間に隙間が生じないような構成になっている。
【００３９】
これら左側耳掛け部２２及び右側耳掛け部２３は、伸縮性を有する紐状の部材であり、例えばスパンデックス（ポリウレタン弾性繊維）により構成されている。この紐状部材は、断面形状が丸状でも平板状でもよく、またはこれら以外の形状であってもよい。なお、紐状部材として平板状のものを使用する場合には、使用者の肌との接触面積を増大させることもきできるとともに、耳に掛けたときに耳に掛ける負担も減らすことができ、装着感を向上させることができるので、好ましい。
【００４０】
次に、本実施の形態に係る使い捨てマスク１の作用効果について説明する。本実施の形態に係るマスクは、使用者が使用する前は、図１に示す状態になっており、マスク本体２がプリーツ４の形成されている箇所において折りたたまれた状態になっている。そして、使用者が使い捨てマスク１を使用する時には、マスク本体２の中央部を上下方向に引き、マスク本体２を広げる動作を行う。この時、マスク本体２は、プリーツ４における折りたたみ部分が広がるので、マスク本体２の左右方向中央部は全体的に広がった状態になる。
【００４１】
また、一方で、マスク本体２の左右方向両端部においては、左側溶着部１３及び右側溶着部１４によって接合されており、プリーツ４が形成されている箇所も左側溶着部１３及び右側溶着部１４によって溶着されている。そのため、マスク本体２において、左側溶着部１３及び右側溶着部１４が形成されている箇所では、使用者がマスク本体２の左右方向中央部を全体的に広げても、マスク本体２の左右方向両端部が上下方向に延びることはない。そのため、マスク本体２は、左右方向中央部を中心にして全体的に外側に向かって膨らみ、左側溶着部１３及び右側溶着部１４が形成されている箇所よりも左右方向両端縁に近接する部位は円弧状に丸まりながら収縮するようになる（この状態を「装着可能な状態」と言う）。使用者は、このような状態にしたマスク本体２で顔面の鼻腔及び口を全体的に覆い、耳掛け部３を耳に掛けて、使い捨てマスク１を顔面に装着する。
【００４２】
このとき、マスク本体２には、左側端部に第１非接合領域２０が形成され、右側端部に第２非接合領域２１が形成されている。そのため、上記したようにマスク本体２を装着可能な状態にすると、マスク本体２において左側溶着部１３及び右側溶着部１４が形成されている箇所よりも左右方向両端縁に近接する部位では、皺Ｓやよれが発生する。つまり、第１非接合領域２０及び第２非接合領域２１を形成することにより、これらの部分で皺Ｓやよれを発生しやすくしておき、マスク本体２を装着可能な状態にした時に、該マスク本体の左右方向両端部に生じる収縮する方向への力の発生を吸収している。
【００４３】
このような状態にした使い捨てマスク１を使用者が装着すると、マスク本体２の左右方向中央部を上下方向に拡げたときに生じるマスク本体２の左右方向両端部において生じる皺Ｓやよれをこれら第１非接合領域２０及び第２非接合領域２１で吸収することができる。すなわち、使い捨てマスク１を使用するときは、第１非接合領域２０及び第２非接合領域２１においては、図４に示すような皺Ｓを意図的に寄らせることができる。このように、第１非接合領域２０及び第２非接合領域２１は、使い捨てマスク１を使用するときにマスク本体２の左右方向両端部において生じる皺Ｓやよれを作りやすくする「遊び」を形成する箇所となるように形成されている。
【００４４】
このように、マスク本体２の左右方向両端部に第１非接合領域２０及び第２非接合領域２１を形成することによって、使用者が使い捨てマスク１を装着した時に、マスク本体の一部が顔面に対して密着せず、マスク本体２が顔面に対して浮き上がって、顔面との間に隙間が形成されることを確実に防止することができる。
【００４５】
したがって、本発明に係る使い捨てマスク１においては、使用者が着用した時に、使用者の顔面に対してマスク本体２を確実にフィットしやすく密着させることができ、使用者が使い捨てマスクを着用している時に呼吸をしても、マスク本体の左右両側部分等から外部の空気が吸い込まれることがなく、花粉やウイルスを吸い込んで体内に取り込み、それによって花粉症を患ったり、風邪やインフルエンザというような病気になるといったことを防止することができる。
【００４６】
次に、本発明に係る使い捨てマスク１の第１の変形例の構成について説明する。なお、本変形例の構成を説明するにあたり、先に説明したと同様の構成の箇所については説明を省略し、符号も同一のものを用いて説明する。
【００４７】
図５に示すように、本変形例に係る使い捨てマスク３１は、マスク本体３２の左右方向両端部に形成されている左側溶着部及び右側溶着部３４の態様が先に説明した例とは異なっている。即ち、本変形例に係る使い捨てマスク３１は、左側溶着部を構成する第１点状シール群及び第２点状シール群、並びに右側溶着部３４を構成する第３点状シール群３７及び第４点状シール群３８が、マスク本体３２の上下方向に対して平行になるように形成されている。即ち、先に説明した例では、第１点状シール群、及び第３点状シール群は、マスク本体の上端部から上下方向中央部に向かって行くにつれて左右方向外側に近づくように形成されており、第２点状シール群及び第４点状シール群は、マスク本体の下端部から上下方向中央部に向かって行くにつれて左右方向外側に近づくように形成されている。
【００４８】
それに対して、本変形例に係る使い捨てマスク３１は、第１点状シール群及び第３点状シール群３７は、マスク本体３２の上端部３２ａから上下方向中央部に向かって垂直方向下向きに形成されており、第２点状シール群及び第４点状シール群３８は、マスク本体３２の下端部３２ｂから垂直方向上向きに形成されている。また、第１点状シール群と第２点状シール群との間、及び第３点状シール群３７及び第４点状シール群３８との間には、非接合領域３９が形成されている。具体的には、第１点状シール群と第２点状シール群との間には、第１非接合領域が形成されており、第３点状シール群３７と第４点状シール群３８との間には、第２非接合領域４０が形成されている。
【００４９】
本変形例に係る使い捨てマスク３１のように、第１点状シール群及び第２点状シール群、並びに第３点状シール群３７及び第４点状シール群３８を形成しても、先の例で説明した「遊び」を第１非接合領域及び第２非接合領域４０に形成することができ、使用者が着用した時に、使用者の顔面に対してマスク本体２を確実にフィットしやすく密着させることができ、使用者が使い捨てマスクを着用している時に呼吸をしても、マスク本体の左右両側部分等から外部の空気が吸い込まれることがなく、花粉やウイルスを吸い込んで体内に取り込み、それによって花粉症を患ったり、風邪やインフルエンザというような病気になるといったことを防止することができる。
【００５０】
次に、本発明に係る使い捨てマスク１の第２の変形例の構成について説明する。なお、本変形例の構成を説明するにあたり、先に説明したのと同様の構成については説明を省略し、符号も同一のものを用いて説明する。
【００５１】
本変形例に係る使い捨てマスク４１は、マスク本体４２の左右方向両端部に形成されている左側溶着部及び右側溶着部４４の態様が先に説明した例とは異なっている。即ち、本変形例に係る使い捨てマスク４１においては、第１点状シール群及び第３点状シール群４７は、マスク本体４２の上端部４２ａから上下方向中央部に向かって行くにつれて左右方向外側に近づくように形成されている。また、第２点状シール群及び第４点状シール群４８は、マスク本体４２の下端部４２ｂから上下方向中央部に向かって行くにつれて左右方向外側に近づくように形成されている。また、これら第１点状シール群、第２点状シール群、第３点状シール群４７及び第４点状シール群４８は、それぞれ直線状又は全体的に曲線状に形成されている。なお、本変形例に係る使い捨てマスク４１の構成については図６に示すが、説明の便宜上、図６はマスク本体４２の左右方向中央部から右端部４２ｄのみを部分的に図示して説明する。したがって、図６では右側溶着部４４と、該右側溶着部４４を構成する第３点状シール群４７及び第４点状シール群４８の構成のみを図示しているが、図６において示されていない第１点状シール群及び第２点状シール群の構成も、第３点状シール群４７及び第４点状シール群４８の構成と同様である。
【００５２】
図６に示すように、第３点状シール群４７及び第４点状シール群４８の間には、非接合領域１９としての第２非接合領域５０が形成されている。そして、第３点状シール群４７は、該第３点状シール群４７を構成する細分化された複数の点状シール群４７ａと、これら複数の点状シール群の間に形成された細分化された非接合領域５２とを備えている。即ち、第３点状シール群４７は、細分化された点状シール群４７ａと細分化された非接合領域５２とが所定間隔をもって連続して交互に形成されている。
【００５３】
また、第４点状シール群４８は、該第４点状シール群４８を構成する細分化された点状シール群４８ａと、これら複数の細分化された点状シール群４８ａの間に形成された非接合領域５３とを備えている。即ち、第４点状シール群４８は、細分化された点状シール群４８ａと細分化された非接合領域５３とが所定間隔をもって連続して交互に形成されている。
【００５４】
このように、本変形例に係る使い捨てマスク４１によれば、先の例において説明した「遊び」を、第１非接合領域及び第２非接合領域５０だけでなく、細分化された点状シール群４７ａ、４８ａの間に形成された細分化された非接合領域５２、５３にも設けることができる。したがって、本変形例に係る使い捨てマスク４１によれば、使用者が着用した時に、より使用者の顔面に対してマスク本体４２を確実にフィットしやすく密着させることができ、使用者が使い捨てマスクを着用している時に呼吸をしても、マスク本体の左右両側部分等から外部の空気が吸い込まれることがなく、花粉やウイルスを吸い込んで体内に取り込み、それによって花粉症を患ったり、風邪やインフルエンザというような病気になるといったことを防止することができる。
【００５５】
以上、本発明に係る実施の形態について、使い捨てマスクの構成及び作用効果について詳細に説明したが、本発明に係る使い捨てマスクの例を示したに過ぎないものであり、これに限定されるものではない。したがって、本発明の趣旨を逸脱しない範囲において、適宜変更してもよい。
【符号の説明】
【００５６】
１，３１，４１  使い捨てマスク
２，３２，４２  マスク本体
３  耳掛け部
８  上側溶着部
９  下側溶着部
１０  第１上側溶着部
１１  第２上側溶着部
１３，３３，４３  左側溶着部
１４，３４，４４  右側溶着部
１５，３５，４５  第１点状シール群
１６，３６，４６  第２点状シール群
１７，３７，４７  第３点状シール群
１８，３８，４８  第４点状シール群
１９，３９，４９  非接合領域
２０  第１非接合領域
２１，４０，５０  第２非接合領域
２４  第１下側溶着部
２５  第２下側溶着部
【図１】
2019039099.tif 000003
【図２】
2019039099.tif 000004
【図３】
2019039099.tif 000005
【図４】
2019039099.tif 000006
【図５】
2019039099.tif 000007
【図６】
2019039099.tif 000008